(57)【要約】【課題】  無線信号が占有する周波数帯域幅を増大させることなく、映像の高品質化に伴って情報量が増大した音声映像信号を伝送する音声映像信号バルク伝送システム、音声映像信号分割装置及び音声映像信号合成装置を提供する。【解決手段】  本発明に係るＭＰＥＧ２ ＴＳ分割装置３００は、音声映像信号（ＭＰＥＧ−２ ＴＳ）を複数の分割音声映像信号に分割する分割部を備え、また、本発明に係るＭＰＥＧ２ ＴＳ合成装置４００は、巡回カウンタ（Continuity Counter）値に基づいて、分割及び合成の対象となる対象パケットを合成部に送出する順序を調整する第１の遅延調整部と、ＰＣＲに基づいてＳＴＣを生成するシステム基準時刻情報生成部と、複数のＳＴＣの中間値を演算するシステム基準時刻調整部と、中間値に基づいて合成された音声映像信号にＰＣＲを付加するプログラム参照時刻付加部とを備える。【選択図】  図２
2005217654.tif 000002
【特許請求の範囲】
【請求項１】
ひとつの音声映像信号を分割して複数の分割音声映像信号を出力する音声映像信号分割装置と、前記分割音声映像信号を合成し、前記音声映像信号を出力する合成部を備える音声映像信号合成装置とから構成される音声映像信号バルク伝送システムであって、
前記音声映像信号分割装置は、
前記音声映像信号を前記分割音声映像信号に分割する分割部を備え、
前記音声映像信号合成装置は、
前記音声映像信号を構成し、分割及び合成の対象となる対象パケットの伝送順序を示す第１の巡回カウンタ値に基づいて、前記対象パケットを前記合成部に送出する順序を調整する第１の遅延調整部と、
前記分割音声映像信号に含まれている時刻情報であるプログラム参照時刻情報に基づいて、前記音声映像信号合成装置において用いられる時刻情報であるシステム基準時刻情報を生成するシステム基準時刻情報生成部と、
前記システム基準時刻情報生成部によって生成された複数の前記システム基準時刻情報の中間値を演算するシステム基準時刻調整部と、
前記システム基準時刻調整部によって演算された前記中間値に基づいて、合成された前記音声映像信号にプログラム参照時刻情報を付加するプログラム参照時刻付加部と
を備えることを特徴とする音声映像信号バルク伝送システム。
【請求項２】
前記音声映像信号合成装置は、前記システム基準時刻生成部によって生成された複数の前記システム基準時刻情報の値を近似または一致させる第２の遅延調整部をさらに備えることを特徴とする請求項１に記載の音声映像信号バルク伝送システム。
【請求項３】
前記音声映像信号分割装置は、
前記分割音声映像信号に含まれる所定の識別子、及び前記分割音声映像信号に含まれるプログラム参照時刻情報に基づいて生成された時刻情報が含まれる特殊同期パケットを生成して前記分割音声映像信号に挿入する特殊同期パケット挿入部をさらに備え、
前記第１の遅延調整部は、前記分割音声映像信号に含まれる前記特殊同期パケットに基づいて、複数の前記分割音声映像信号間の伝搬遅延差を検出し、検出した前記伝搬遅延差に応じて、前記対象パケットを前記合成部に送出するタイミングである合成タイミングを調整することを特徴とする請求項１に記載の音声映像信号バルク伝送システム。
【請求項４】
前記特殊同期パケット挿入部は、前記対象パケットが有効な情報を有さないヌル・パケットを含む場合、所定の間隔で前記ヌル・パケットを前記特殊同期パケットに置換することを特徴とする請求項３に記載の音声映像信号バルク伝送システム。
【請求項５】
前記音声映像信号分割装置は、
前記音声映像信号を複数の前記分割音声映像信号に分割する際に用いられる分割比率を設定する分割比率設定部と、
前記特殊同期パケットに前記分割比率を示す分割情報を付加する分割情報付加部と
をさらに備え、
前記分割部は、前記分割比率設定部によって設定された前記分割比率に基づいて、前記音声映像信号を複数の前記分割音声映像信号に分割し、
前記合成部は、前記分割情報に基づいて、複数の前記分割音声映像信号を合成して前記音声映像信号を出力することを特徴とする請求項３に記載の音声映像信号バルク伝送システム。
【請求項６】
前記音声映像信号分割装置は、前記分割音声映像信号を構成するパケットの伝送順序を示す第２の巡回カウンタ値を前記パケットに付加する巡回カウンタ値付加部をさらに備え、
前記合成部は、前記分割情報及び前記第２の巡回カウンタ値に基づいて、複数の前記分割音声映像信号を合成して前記音声映像信号を出力することを特徴とする請求項５に記載の音声映像信号バルク伝送システム。
【請求項７】
ひとつの音声映像信号を分割して複数の分割音声映像信号を出力する音声映像信号分割装置であって、
前記音声映像信号を前記分割音声映像信号に分割する分割部と、
前記分割音声映像信号に含まれる所定の識別子、及び前記分割音声映像信号に含まれるプログラム参照時刻情報に基づいて生成された時刻情報が含まれる特殊同期パケットを生成して前記分割音声映像信号に挿入する特殊同期パケット挿入部と
を備えることを特徴とする音声映像信号分割装置。
【請求項８】
前記特殊同期パケット挿入部は、前記対象パケットが有効な情報を有さないヌル・パケットを含む場合、所定の間隔で前記ヌル・パケットを前記特殊同期パケットに置換することを特徴とする請求項７に記載の音声映像信号分割装置。
【請求項９】
前記音声映像信号を複数の前記分割音声映像信号に分割する際に用いられる分割比率を設定する分割比率設定部と、
前記特殊同期パケットに前記分割比率を示す分割情報を付加する分割情報付加部と
をさらに備え、
前記分割部は、前記分割比率設定部によって設定された前記分割比率に基づいて、前記音声映像信号を複数の前記分割音声映像信号に分割することを特徴とする請求項７に記載の音声映像信号分割装置。
【請求項１０】
前記分割音声映像信号を構成するパケットの伝送順序を示す第２の巡回カウンタ値を前記パケットに付加する巡回カウンタ値付加部をさらに備えることを特徴とする請求項７に記載の音声映像信号分割装置。
【請求項１１】
ひとつの音声映像信号が分割された複数の分割音声映像信号を合成し、前記音声映像信号を出力する合成部を備える音声映像信号合成装置であって、
前記音声映像信号を構成し、分割及び合成の対象となる対象パケットの伝送順序を示す第１の巡回カウンタ値に基づいて、前記分割音声映像信号を前記合成部に送出する順序を調整する第１の遅延調整部と、
前記分割音声映像信号に含まれている時刻情報であるプログラム参照時刻情報に基づいて、前記音声映像信号合成装置において用いられる時刻情報であるシステム基準時刻情報を生成するシステム基準時刻情報生成部と、
前記システム基準時刻情報生成部によって生成された複数の前記システム基準時刻情報の中間値を演算するシステム基準時刻調整部と、
前記システム基準時刻調整部によって演算された前記中間値に基づいて、前記音声映像信号にプログラム参照時刻情報を付加するプログラム参照時刻付加部と
を備えることを特徴とする音声映像信号合成装置。
【請求項１２】
前記システム基準時刻生成部によって生成された複数の前記システム基準時刻情報の値を近似または一致させる第２の遅延調整部をさらに備えることを特徴とする請求項１１に記載の音声映像信号合成装置。
【請求項１３】
前記第１の遅延調整部は、前記分割音声映像信号に含まれる所定の識別子、及び前記分割音声映像信号に含まれるプログラム参照時刻情報に基づいて生成された時刻情報が含まれる特殊同期パケットに基づいて、複数の前記分割音声映像信号間の伝搬遅延差を検出し、検出した前記伝搬遅延差に応じて、前記対象パケットを前記合成部に送出するタイミングである合成タイミングを調整することを特徴とする請求項１１に記載の音声映像信号合成装置。
【請求項１４】
前記合成部は、前記分割音声映像信号に含まれ、前記音声映像信号を分割する際に用いられる分割比率を示す分割情報に基づいて、複数の前記分割音声映像信号を合成して前記音声映像信号を出力することを特徴とする請求項１１に記載の音声映像信号合成装置。
【請求項１５】
前記合成部は、前記分割情報、及び前記分割音声映像信号を構成するパケットに含まれ、前記パケットの伝送順序を示す第２の巡回カウンタ値に基づいて、複数の前記分割音声映像信号を合成して前記音声映像信号を出力することを特徴とする請求項１１に記載の音声映像信号合成装置。
【発明の詳細な説明】
【技術分野】
【０００１】
本発明は、音声映像信号を分割・合成する音声映像信号バルク伝送システム、音声映像信号分割装置及び音声映像信号合成装置に関し、特に、ＭＰＥＧ−２のトランスポートストリーム信号を分割・合成する声映像信号バルク伝送システム、音声映像信号分割装置及び音声映像信号合成装置に関する。
【背景技術】
【０００２】
従来、野外番組、例えば、マラソンなどのロードレースの中継では、ランナーなどを撮影するカメラなどを搭載した移動中継車と、ロードレースのコース近傍に臨時に配備された基地局との間などにおいて、無線回線を用いて音声映像信号、例えば、ＭＰＥＧ−２（Moving Picture Experts Group）のトランスポートストリーム信号（以下、ＭＰＥＧ−２ ＴＳという）が伝送される（例えば、特許文献１）。
【特許文献１】特開２００２−第１５８６２３号公報
【発明の開示】
【発明が解決しようとする課題】
【０００３】
ところで、上述したようなマラソンなどのロードレースの中継についても、ディジタルＨＤＴＶ放送の普及などに伴い、放送される映像の高品質化が求められている。野外番組の映像の高品質化に伴って増大する情報量を中継するためには、移動中継車と基地局との間などに設定される無線回線の伝送容量を増大させる必要がある。
【０００４】
しかしながら、ＱＡＭ（Quadrature Amplitude Modulation）などのディジタル変調方式では、伝送容量を増大させるとノイズなどに対する耐性が低下するため、安易に無線回線の伝送容量を増大させることができないといった問題があった。
【０００５】
また、かかる耐性を維持しつつ伝送容量を増大するためには、無線回線において用いられる無線信号が占有する周波数帯域幅を広げることが必要となるが、占有できる周波数帯域幅は電波法によって定められているため、無線信号が占有する周波数帯域幅を広げることができないといった問題があった。
【０００６】
そこで、本発明は、以上の点に鑑みてなされたもので、無線信号が占有する周波数帯域幅を増大させることなく、映像の高品質化に伴って情報量が増大した音声映像信号を伝送する音声映像信号バルク伝送システム、音声映像信号分割装置及び音声映像信号合成装置を提供することを目的とする。
【課題を解決するための手段】
【０００７】
上述した課題を解決するため、本発明は、次のような特徴を有している。まず、本発明の第１の特徴は、ひとつの音声映像信号（例えば、ＭＰＥＧ−２ ＴＳ）を分割して複数の分割音声映像信号を出力する音声映像信号分割装置（ＭＰＥＧ２ ＴＳ分割装置３００）と、前記分割音声映像信号を合成し、前記音声映像信号を出力する合成部（ビデオパケット合成部４１１，オーディオパケット合成部４１２）を備える音声映像信号合成装置（ＭＰＥＧ２ ＴＳ合成装置４００）とから構成される音声映像信号バルク伝送システムであって、前記音声映像信号分割装置が、前記音声映像信号を前記分割音声映像信号に分割する分割部（パケット分割部３０１）を備え、前記音声映像信号合成装置が、前記音声映像信号を構成し、分割及び合成の対象となる対象パケットの伝送順序を示す第１の巡回カウンタ（Continuity Counter）値に基づいて、前記対象パケットを前記合成部に送出する順序を調整する第１の遅延調整部（ビデオパケット合成部４１１，オーディオパケット合成部４１２）と、前記分割音声映像信号に含まれている時刻情報であるプログラム参照時刻情報（Program Clock Reference）に基づいて、前記音声映像信号合成装置において用いられる時刻情報であるシステム基準時刻情報（System Time Clock）を生成するシステム基準時刻情報生成部（ＳＴＣカウンタ４０８ａ，４０８ｂ）と、前記システム基準時刻情報生成部によって生成された複数の前記システム基準時刻情報の中間値を演算するシステム基準時刻調整部（ＳＴＣ平均化部４１４）と、前記システム基準時刻調整部によって演算された前記中間値に基づいて、合成された前記音声映像信号にプログラム参照時刻情報を付加するプログラム参照時刻付加部（ＰＣＲ付加部４１５）とを備えることを要旨とする。
【０００８】
かかる特徴によれば、第１の遅延調整部が、受信したＭＰＥＧ−２ ＴＳ（分割音声映像信号）に含まれる巡回カウンタ（Continuity Counter）値に基づいて、対象パケットを合成部に送出する順序を調整するため、移動中継車と基地局との間に多重（分離）装置などが介在することによって、対象パケットの伝送順序が変更されている場合でも、合成時に正しい順序に調整することができる。
【０００９】
さらに、かかる特徴によれば、プログラム参照時刻付加部が、システム基準時刻情報の中間値に基づいて、合成されたＭＰＥＧ−２ ＴＳ（音声映像信号）にプログラム参照時刻情報を付加するため、合成されたＭＰＥＧ−２ ＴＳのジッタ成分、すなわち、合成されたＭＰＥＧ−２ ＴＳの出力タイミングが大きく変動することを抑制することができる。
【００１０】
すなわち、かかる特徴によれば、無線信号が占有する周波数帯域幅を増大させることなく、映像の高品質化に伴って情報量が増大した音声映像信号を伝送することができる。
【００１１】
ところで、上述したＭＰＥＧ−２ ＴＳ（音声映像信号）の巡回カウンタとしては、４ビットが割り当てられており、同一のＰＩＤ（Packet Identifier）を有するトランスポート・パケットを受信するごとに巡回カウンタの値がインクリメント（増加）され、値が“１５”（２4−１）になると、次は“０”に戻るため、伝送順序を認識可能なトランスポート・パケットの範囲は、前後７パケット以内に制限される。
【００１２】
このため、合成されるＭＰＥＧ−２ ＴＳ（分割音声映像信号）の伝搬遅延差が大きい場合、具体的には、対象パケットの伝搬遅延が、１５パケット分に相当する時間以上である場合、音声映像信号合成装置は、ＭＰＥＧ−２ ＴＳを正常に合成することができない可能性がある。
【００１３】
そこで、本発明の第２の特徴は、本発明の第１の特徴において、前記システム基準時刻生成部によって生成された複数の前記システム基準時刻情報の値を近似または一致させる第２の遅延調整部（可変遅延調整部４０２ａ，４０２ｂ）をさらに備えることを要旨とする。
【００１４】
かかる特徴によれば、第２の遅延調整部が複数のシステム基準時刻情報の値を近似または一致させるため、合成されるＭＰＥＧ−２ ＴＳ間の伝搬遅延差を減少させることができる。
【００１５】
複数のシステム基準時刻情報の値を近似または一致させることによって、一般的には、合成されるＭＰＥＧ−２ ＴＳ間の伝搬遅延差を１５パケット分に相当する時間以内に収斂させることができるため、音声映像信号合成装置は、上述した第１の遅延調整部による動作と合わせて、ＭＰＥＧ−２ ＴＳ間の伝搬遅延差が大きい場合でも正常にＭＰＥＧ−２ ＴＳを合成することができる。
【００１６】
ところで、多重（分離）装置などでは、出力されるＭＰＥＧ−２ ＴＳに含まれるプログラム参照時刻（ＰＣＲ）情報が付替えられるが、当該付替処理に伴って、当該多重（分離）装置などから出力されるＰＣＲパケットの伝送順序が、当該付替処理前と比較して、他のパケット（音声・映像パケットなど）よりも変化する場合がある。また、当該付替処理に伴って、音声・映像パケットと、ＰＣＲパケットに含まれるＰＣＲとの時間的な距離（時間差）が変化する場合がある。
【００１７】
そこで、本発明の第３の特徴は、本発明の第１の特徴において、前記音声映像信号分割装置が、前記分割音声映像信号に含まれる所定の識別子、及び前記分割音声映像信号に含まれるプログラム参照時刻情報に基づいて生成された時刻情報が含まれる特殊同期パケットを生成して前記分割音声映像信号に挿入する特殊同期パケット挿入部（特殊同期パケット挿入部３１３）をさらに備え、前記第１の遅延調整部が、前記分割音声映像信号に含まれるユニット開始表示情報前記特殊同期パケットに基づいて、複数の前記分割音声映像信号間の伝搬遅延差を検出し、検出した前記伝搬遅延差に応じて、前記合成対象パケット対象パケットを前記合成部に送出するタイミングである合成タイミングを調整することを要旨とする。
【００１８】
かかる特徴によれば、第１の遅延調整部が、音声・映像パケットと、ＰＣＲパケットに含まれるＰＣＲとの時間的な距離（時間差）を認識するため、ＰＣＲの付替処理などに伴ってＰＣＲパケットの伝送順序が音声・映像パケットよりも相対的に遅れる場合や、音声・映像パケットなどのＰＣＲパケットに対する位置が変化する場合でも、音声映像信号合成装置は、正常にＭＰＥＧ−２ ＴＳを合成することができる。
【００１９】
なお、本発明の第３の特徴において、第１の遅延調整部は、より確実に音声・映像パケットと、ＰＣＲパケットに含まれるＰＣＲとの時間的な距離（時間差）を認識するため、各トランスポート・パケットに含まれるＰＩＤ値、トランスポート・パケットのスクランブルモードを示すスクランブル制御（Transport Scrambling Control）値、またはアダプテーション・フィールド制御（Adaptation Field Control）値に基づいて、ＭＰＥＧ−２ ＴＳのトランスポート・パケットを合成する順序が正しいことを判定してもよい。
【００２０】
本発明の第４の特徴は、本発明の第３の特徴において、前記特殊同期パケット挿入部が、前記対象パケットが有効な情報を有さないヌル・パケットを含む場合、所定の間隔で前記ヌル・パケットを前記特殊同期パケットに置換することを要旨とする。
【００２１】
本発明の第５の特徴は、本発明の第３の特徴において、前記音声映像信号分割装置が、前記音声映像信号を複数の前記分割音声映像信号に分割する際に用いられる分割比率を設定する分割比率設定部（分割比率設定部３０７）と、前記特殊同期パケットに前記分割比率を示す分割情報を付加する分割情報付加部（ＰＩＤ付加部３０５ａ，３０５ｂ）とをさらに備え、前記分割部が、前記分割比率設定部によって設定された前記分割比率に基づいて、前記音声映像信号を複数の前記分割音声映像信号に分割し、前記合成部が、前記分割情報に基づいて、複数の前記分割音声映像信号を合成して前記音声映像信号を出力することを要旨とする。
【００２２】
すなわち、音声映像信号分割装置によって分割されるＭＰＥＧ−２ ＴＳ（分割音声映像信号）は、伝送容量の異なる複数の無線回線を用いて伝送しなければならない場合がある。さらに、多重（分離）装置によって、ＰＡＴやＰＭＴなどの番組特定情報（以下、ＰＳＩ(Program Specific Information)という）の内容、或いはＰＩＤ値が変更されている場合がある。
【００２３】
かかる特徴によれば、音声映像信号合成装置が、分割比率を示す分割情報に基づいて、分割されたＭＰＥＧ−２ ＴＳを合成するため、伝送容量の異なる複数の無線回線を用いて、分割されたＭＰＥＧ−２ ＴＳ（分割音声映像信号）伝送しなければならない場合、つまり、分割比率が異なる場合でも、分割されたＭＰＥＧ−２ ＴＳを正常に合成することができる。
【００２４】
本発明の第６の特徴は、本発明の第５の特徴において、前記音声映像信号分割装置が、前記分割音声映像信号を構成するパケットの伝送順序を示す第２の巡回カウンタ値を前記パケットに付加する巡回カウンタ値付加部をさらに備え、前記合成部が、前記分割情報及び前記第２の巡回カウンタ値に基づいて、複数の前記分割音声映像信号を合成して前記音声映像信号を出力することを要旨とする。
【００２５】
かかる特徴によれば、音声映像信号合成装置が、分割情報、及び分割されたＭＰＥＧ−２ ＴＳを構成するパケットの伝送順序を示す巡回カウンタ値に基づいて、分割されたＭＰＥＧ−２ ＴＳを合成するため、多重（分離）装置などによって、当該パケットの伝送順序が入れ替わった（逆転）した場合でも、分割されたＭＰＥＧ−２ ＴＳを正常に合成することができる。
【００２６】
本発明の第７の特徴は、ひとつの音声映像信号を分割して複数の分割音声映像信号を出力する音声映像信号分割装置であって、前記音声映像信号を前記分割音声映像信号に分割する分割部と、前記分割音声映像信号に含まれる所定の識別子、及び前記分割音声映像信号に含まれるプログラム参照時刻情報に基づいて生成された時刻情報が含まれる特殊同期パケットを生成して前記分割音声映像信号に挿入する特殊同期パケット挿入部とを備えることを要旨とする。
【００２７】
本発明の第８の特徴は、本発明の第７の特徴において、前記特殊同期パケット挿入部は、前記対象パケットが有効な情報を有さないヌル・パケットを含む場合、所定の間隔で前記ヌル・パケットを前記特殊同期パケットに置換することを要旨とする。
【００２８】
本発明の第９の特徴は、本発明の第７の特徴において、前記音声映像信号を複数の前記分割音声映像信号に分割する際に用いられる分割比率を設定する分割比率設定部と、前記特殊同期パケットに前記分割比率を示す分割情報を付加する分割情報付加部とを備え、前記分割部が、前記分割比率設定部によって設定された前記分割比率に基づいて、前記音声映像信号を複数の前記分割音声映像信号に分割することを要旨とする。
【００２９】
本発明の第１０の特徴は、本発明の第７の特徴において、前記分割音声映像信号を構成するパケットの伝送順序を示す第２の巡回カウンタ値を前記パケットに付加する巡回カウンタ値付加部をさらに備えることを要旨とする。
【００３０】
本発明の第１１の特徴は、ひとつの音声映像信号が分割された複数の分割音声映像信号を合成し、前記音声映像信号を出力する合成部を備える音声映像信号合成装置であって、前記音声映像信号を構成し、分割及び合成の対象となる対象パケットの伝送順序を示す第１の巡回カウンタ値に基づいて、前記分割音声映像信号を前記合成部に送出する順序を調整する第１の遅延調整部と、前記分割音声映像信号に含まれている時刻情報であるプログラム参照時刻情報に基づいて、前記音声映像信号合成装置において用いられる時刻情報であるシステム基準時刻情報を生成するシステム基準時刻情報生成部と、前記システム基準時刻情報生成部によって生成された複数の前記システム基準時刻情報の中間値を演算するシステム基準時刻調整部と、前記システム基準時刻調整部によって演算された前記中間値に基づいて、前記音声映像信号にプログラム参照時刻情報を付加するプログラム参照時刻付加部とを備えることを要旨とする。
【００３１】
本発明の第１２の特徴は、本発明の第１１の特徴において、前記システム基準時刻生成部によって生成された複数の前記システム基準時刻情報の値を近似または一致させる第２の遅延調整部をさらに備えることを要旨とする。
【００３２】
本発明の第１３の特徴は、本発明の第１１の特徴において、前記第１の遅延調整部が、前記分割音声映像信号に含まれる所定の識別子、及び前記分割音声映像信号に含まれるプログラム参照時刻情報に基づいて生成された時刻情報が含まれる特殊同期パケットに基づいて、複数の前記分割音声映像信号間の伝搬遅延差を検出し、検出した前記伝搬遅延差に応じて、前記対象パケットを前記合成部に送出するタイミングである合成タイミングを調整することを要旨とする。
【００３３】
本発明の第１４の特徴は、本発明の第１１の特徴において、前記合成部が、前記分割音声映像信号に含まれ、前記音声映像信号を分割する際に用いられる分割比率を示す分割情報に基づいて、複数の前記分割音声映像信号を合成して前記音声映像信号を出力することを要旨とする。
【００３４】
本発明の第１５の特徴は、本発明の第１１の特徴において、前記合成部が、前記分割情報、及び前記分割音声映像信号を構成するパケットに含まれる前記パケットの伝送順序を示す第２の巡回カウンタ値に基づいて、複数の前記分割音声映像信号を合成して前記音声映像信号を出力することを要旨とする。
【発明の効果】
【００３５】
本発明によれば、無線信号が占有する周波数帯域幅を増大させることなく、映像の高品質化に伴って情報量が増大した音声映像信号を伝送する音声映像信号バルク伝送システム、音声映像信号分割装置及び音声映像信号合成装置を提供することことができる。
【発明を実施するための最良の形態】
【００３６】
本発明の実施形態について図面を参照しながら説明する。図１は、本実施形態に係る野外番組の中継システムの構成例を示している。
【００３７】
具体的には、図１は、マラソンなどのロードレースを中継する場合における中継システムの構成例を示している。同図に示すように、ロードレースのスタート・ゴール地点となるスタジアムＳＤの近傍には、センター基地局ＢＳ１が配備されている。
【００３８】
また、ロードレースのコースＣＵの近傍には、ランナーなどを撮影するカメラが搭載された移動中継車Ｃ１，Ｃ２と、無線回線を介して音声映像信号を中継する基地局ＢＳ２及び基地局ＢＳ３が配備されている。
【００３９】
このようなロードレースの中継は、一般的に生放送であるため、移動中継車Ｃ１，Ｃ２と、臨時に配備された基地局（ＢＳ１〜ＢＳ３）とを接続する無線回線が非常に重要となる。そこで、移動中継車Ｃ１，Ｃ２から送信されるＭＰＥＧ−２ ＴＳ（トランスポートストリーム信号）を確実に中継できるように、各基地局のカバレッジが、他の基地局のカバレッジと極力重なり合うように構成される。
【００４０】
同図に示すように、センター基地局ＢＳ１は、カバレッジＣＶ１を有している。また、基地局ＢＳ２は、カバレッジＣＶ２を有し、基地局ＢＳ３は、カバレッジＣＶ３ａ，ＣＶ３ｂを有している。例えば、カバレッジＣＶ１とカバレッジＣＶ２とは、互いに重なり合う領域を有し、同図では、当該領域内に移動中継車Ｃ１が位置している。同様に、カバレッジＣＶ２とカバレッジＣＶ３ａとは、互いに重なり合う領域を有し、同図では、当該領域内に移動中継車Ｃ２が位置している。
【００４１】
また、同図では、移動中継車Ｃ１は、無線回線ＲＬ１１を介してセンター基地局ＢＳ１と、無線回線ＲＬ１２を介して基地局ＢＳ２と、それぞれ接続することができる。さらに、移動中継車Ｃ２は、無線回線ＲＬ２１を介して基地局ＢＳ３と、無線回線ＲＬ２２を介して基地局ＢＳ２と、それぞれ接続することができる。
【００４２】
すなわち、移動中継車Ｃ１，Ｃ２は、複数の基地局と無線回線を介して接続され、同一のＭＰＥＧ−２ ＴＳを複数の基地局に対して送信することができる。
【００４３】
さらに、同図に示すように、無線回線ＲＬ１を介してセンター基地局ＢＳ１と基地局ＢＳ２とが接続され、無線回線ＲＬ２を介してセンター基地局ＢＳ１と基地局ＢＳ３とが接続されている。
【００４４】
また、センター基地局ＢＳ１では、移動中継車Ｃ１，Ｃ２から送信されたＭＰＥＧ−２ ＴＳについて、当該ＭＰＥＧ−２ ＴＳに含まれる音声及び映像情報をロードレースの展開に応じてスイッチングする処理や、スーパーインポーズを挿入する処理が実行される。さらに、当該処理が実行されたＭＰＥＧ−２ ＴＳは、無線または有線回線を介して放送局ＳＴに中継される。
【００４５】
放送局ＳＴでは、センター基地局ＢＳ１から中継されたＭＰＥＧ−２ ＴＳが、放送の方式に合わせた信号に必要により変換される。また、当該信号は、送信タワーＴＷから無線信号として視聴者に向けて送信される。
【００４６】
（中継システムの概略ブロック構成）
次に、図２を参照して、上述した中継システムの概略ブロック構成について説明する。同図に示すように、移動中継車Ｃ１は、ＭＰＥＧ２符号化器１１と、ＭＰＥＧ２ ＴＳ分割装置３００と、ＯＦＤＭ送信機２１，２２とを備えている。
【００４７】
ＭＰＥＧ２符号化器１１は、カメラ（不図示）によって撮影された映像信号などをＭＰＥＧ−２ ＴＳ（音声映像信号）に符号化するものである。
【００４８】
ＭＰＥＧ２ ＴＳ分割装置３００は、ＭＰＥＧ２符号化器１１によって出力されたＭＰＥＧ−２ ＴＳ（音声映像信号）を、分割された複数の“分割ＭＰＥＧ−２ ＴＳ”（分割音声映像信号）に分割するものである。
【００４９】
ＯＦＤＭ送信機２１は、無線回線ＲＬ１２ａを介して、ＭＰＥＧ２ ＴＳ分割装置３００によって分割された“分割ＭＰＥＧ−２ ＴＳ”を基地局ＢＳ２に送信するものである。また、ＯＦＤＭ送信機２２は、無線回線ＲＬ１２ｂを介して“分割ＭＰＥＧ−２ ＴＳ”を基地局ＢＳ２に送信するとものである。
【００５０】
なお、ＯＦＤＭ送信機２１，２２は、直交周波数分割多重方式（Orthogonal Frequency Division Multiplex）を用いた送信機であり、本実施形態では、使用周波数帯域として８００ＭＨｚ帯が用いられる。
【００５１】
基地局ＢＳ２は、ＯＦＤＭ受信機３１，３２と、ＭＰＥＧ２ ＴＳ多重装置１００と、ＦＭ送信機４１とを備えている。
【００５２】
ＯＦＤＭ受信機３１は、移動中継車Ｃ１から無線回線ＲＬ１２ａを介して送信された“分割ＭＰＥＧ−２ ＴＳ”をＭＰＥＧ２ ＴＳ多重装置１００に送出する。同様に、ＯＦＤＭ受信機３２は、移動中継車Ｃ１から無線回線ＲＬ１２ｂを介して送信された“分割ＭＰＥＧ−２ ＴＳ”をＭＰＥＧ２ ＴＳ多重装置１００に送出する。
【００５３】
ＭＰＥＧ２ ＴＳ多重装置１００は、複数のＭＰＥＧ−２ ＴＳを受信するとともに、当該複数のＭＰＥＧ−２ ＴＳを多重して、“多重化ＭＰＥＧ−２ ＴＳ”を出力するものである。
【００５４】
ＦＭ送信機４１は、周波数変調を用いたディジタル無線送信機であり、センター基地局ＢＳ１に配備されているＦＭ受信機５１と対向する。ＦＭ送信機４１は、ＭＰＥＧ２ ＴＳ多重装置１００によって多重された“多重化ＭＰＥＧ−２ ＴＳ”をセンター基地局ＢＳ１に無線回線ＲＬ１を介して送信することができる。
【００５５】
なお、同図では図示されていないが、基地局ＢＳ３も、基地局ＢＳ２と同様のブロック構成を有している。
【００５６】
センター基地局ＢＳ１は、ＦＭ受信機５１と、ＯＦＤＭ受信機３３と、ＭＰＥＧ２ ＴＳ分離装置２１１と、ＭＰＥＧ２ ＴＳ合成装置４００と、ＭＰＥＧ２復号器６３，６４とを備えている。
【００５７】
ＦＭ受信機５１は、ＦＭ送信機４１から無線回線ＲＬ１を介して送信された“多重化ＭＰＥＧ−２ ＴＳ”をＭＰＥＧ２ ＴＳ分離装置２１１に送出する。
【００５８】
ＯＦＤＭ受信機３３は、移動中継車Ｃ１から無線回線ＲＬ１１を介して送信されたＭＰＥＧ−２ ＴＳをＭＰＥＧ２ ＴＳ分離装置２１１に送出することができる。
【００５９】
ＭＰＥＧ２ ＴＳ分離装置２１１は、ＭＰＥＧ２ ＴＳ多重装置１００によって多重された“多重化ＭＰＥＧ−２ ＴＳ”をＭＰＥＧ−２ ＴＳに分離するものである。具体的には、ＭＰＥＧ２ ＴＳ分離装置２１１は、基地局ＢＳ２から送信された“多重化ＭＰＥＧ−２ ＴＳ”を分離して、複数の“分割ＭＰＥＧ−２ ＴＳ”をＭＰＥＧ２ ＴＳ合成装置４００に出力する。
【００６０】
ＭＰＥＧ２ ＴＳ合成装置４００は、ＭＰＥＧ２ ＴＳ分離装置２１１から出力された複数の”分割ＭＰＥＧ−２ ＴＳ“を合成して、ひとつのＭＰＥＧ−２ ＴＳをＭＰＥＧ２復号器６３に出力するものである。
【００６１】
ＯＦＤＭ受信機３３は、無線回線を介して送信されたＭＰＥＧ−２ ＴＳをＭＰＥＧ２復号器６４に出力するものである。
【００６２】
ＭＰＥＧ２復号器６３，６４は、ＭＰＥＧ２ ＴＳ合成装置４００またはＯＦＤＭ受信機３３から出力されたＭＰＥＧ−２ ＴＳをＲＧＢ信号に復号するものである。
【００６３】
なお、本実施形態では、ＭＰＥＧ２ ＴＳ分割装置３００は、音声映像信号分割装置を構成し、ＭＰＥＧ２ ＴＳ合成装置４００は、音声映像信号合成装置を構成する。また、本実施形態では、ＭＰＥＧ２ ＴＳ分割装置３００とＭＰＥＧ２ ＴＳ合成装置４００とによって、音声映像信号バルク伝送システムを構成する。
【００６４】
（音声映像信号バルク伝送システムの論理ブロック構成）
次に、図３〜図５を参照して、本実施形態に係るバルク伝送システムを構成するＭＰＥＧ２ ＴＳ分割装置３００及びＭＰＥＧ２ ＴＳ合成装置４００の論理ブロック構成について説明する。まず、図３を参照して、ＭＰＥＧ２ ＴＳ分割装置３００の論理ブロック構成について説明する。
【００６５】
同図に示すように、ＭＰＥＧ２ ＴＳ分割装置３００は、パケット分割部３０１と、巡回カウンタ値付加部３０３ａ，３０３ｂと、ＰＩＤ付加部３０５ａ，３０５ｂと、分割比率設定部３０７と、ＰＣＲ付加部３０９ａ，３０９ｂと、ＳＴＣカウンタ３１１と、特殊同期パケット挿入部３１３とを備えている。
【００６６】
パケット分割部３０１は、ＭＰＥＧ２符号化器１１によって出力されたＭＰＥＧ−２ ＴＳ（音声映像信号）を複数の“分割ＭＰＥＧ−２ ＴＳ”（分割音声映像信号）に分割するものであり、本実施形態では、分割部を構成する。
【００６７】
具体的には、パケット分割部３０１は、ＭＰＥＧ２符号化器１１によって出力されたＭＰＥＧ−２ ＴＳを構成するトランスポート・パケットごとに、当該ＭＰＥＧ−２ ＴＳを複数の“分割ＭＰＥＧ−２ ＴＳ”に分割することができる。
【００６８】
巡回カウンタ値付加部３０３ａ，３０３ｂは、“分割ＭＰＥＧ−２ ＴＳ”を構成するトランスポート・パケットの伝送順序を示す巡回カウンタ（Continuity Counter）の値（第２の巡回カウンタ値）を当該トランスポート・パケットに付加するものである。
【００６９】
具体的には、巡回カウンタ値付加部３０３ａ，３０３ｂは、パケット分割部３０１によって分割された“分割ＭＰＥＧ−２ ＴＳ”に含まれる巡回カウンタの値を“分割ＭＰＥＧ−２ ＴＳ”を構成するトランスポート・パケットの伝送順序に基づいて、当該トランスポート・パケットに付加する。
【００７０】
ここで、図６は、ＭＰＥＧ２ ＴＳ分割装置３００及びＭＰＥＧ２ ＴＳ合成装置４００において取り扱われるＭＰＥＧ−２ ＴＳの構造を示している。図６（ａ）は、１８８バイト単位で構成されるトランスポート・パケットを示している。また、図６（ｂ）は、トランスポート・パケットの構成を示している。同図（ｂ）に示すように、トランスポート・パケットには、アダプテーション・フィールドが設けられている。さらに、図６（ｃ）は、アダプテーション・フィールドの構成を示している。同図（ｃ）に示すように、アダプテーション・フィールドには、オプショナル・フィールドが設けられている。また、図６（ｄ）は、オプショナル・フィールドの構成を示している。
【００７１】
より具体的には、巡回カウンタ値付加部３０３ａ，３０３ｂは、トランスポート・パケットの伝送順序にしたがって、０〜１５（４ビット）の繰り返しで表現される巡回カウンタの値をインクリメントさせ、当該巡回カウンタの値を図６（ｂ）に示す巡回カウンタの領域に付加する。
【００７２】
ＰＩＤ付加部３０５ａ，３０５ｂは、“分割ＭＰＥＧ−２ ＴＳ”に含まれる特殊同期パケットのＰＩＤ（Packet Identifier、所定の識別子）に、ＭＰＥＧ２符号化器１１によって出力されたＭＰＥＧ−２ ＴＳの分割比率を示す分割情報を付加するものであり、本実施形態では、分割情報付加部を構成する。なお、特殊同期パケットの構成などについては、後述する。
【００７３】
具体的には、ＰＩＤ付加部３０５ａ，３０５ｂは、１３ビットで表現されるＰＩＤ（図６（ｂ）参照）の領域のうち、最も下位側に位置する下位側４ビットを用いて、パケット分割部３０１によって分割される“分割ＭＰＥＧ−２ ＴＳ”の分割比率を表現する。
【００７４】
例えば、ＰＩＤ付加部３０５ａ，３０５ｂは、パケット分割部３０１によって分割される“分割ＭＰＥＧ−２ ＴＳ”を構成し、分割及び合成の対象となるトランスポート・パケット（特殊同期パケット）が、巡回カウンタ値付加部３０３ａに対して“２”、巡回カウンタ値付加部３０３ｂに対して“１”の割合、つまり、２：１の割合で分割される場合、ＰＣＲ付加部３０９ａから送出されるトランスポート・パケットの当該下位側４ビットを“００１０”に、ＰＣＲ付加部３０９ｂから送出されるトランスポート・パケットの当該下位側４ビットを“０００１”に設定する。
【００７５】
また、ＰＩＤ付加部３０５ａ，３０５ｂは、当該下位側４ビットに隣接して上位側に位置する上位側４ビットを用いて、当該トランスポート・パケットの伝送順序（再生順序）を表現する。
【００７６】
例えば、ＰＩＤ付加部３０５ａ，３０５ｂは、パケット分割部３０１によって分割される“分割ＭＰＥＧ−２ ＴＳ”を構成し、分割及び合成の対象となるトランスポート・パケット（特殊同期パケット）が、巡回カウンタ値付加部３０３ａに対して“２”、巡回カウンタ値付加部３０３ｂに対して“１”の割合、つまり、２：１の割合で分割される場合、ＰＣＲ付加部３０９ａから送出されるトランスポート・パケットの当該上位側４ビットを“０００１”に、ＰＣＲ付加部３０９ｂから送出されるトランスポート・パケットの当該上位側４ビットを“００１０”に設定する。なお、分割比率を示す分割情報の付加方法については、さらに後述する。
【００７７】
分割比率設定部３０７は、ＭＰＥＧ２符号化器１１によって出力されたＭＰＥＧ−２ ＴＳを複数の“分割ＭＰＥＧ−２ ＴＳ”に分割する際に用いられる分割比率を設定するものである。
【００７８】
具体的には、分割比率設定部３０７は、無線回線の伝送容量、つまり、本実施形態では、無線回線ＲＬ１２ａ及び無線回線ＲＬ１２ｂの伝送容量（伝送速度）に基づいて、分割比率を設定し、当該分割設定比率をパケット分割部３０１及びＰＩＤ付加部３０５ａ，３０５ｂに通知する。例えば、無線回線ＲＬ１２ａの伝送容量が１２Ｍｂｐｓ、無線回線ＲＬ１２ｂの伝送容量が６Ｍｂｐｓである場合、分割比率設定部３０７は、当該伝送容量に基づいて、分割比率を２：１と演算する。
【００７９】
なお、分割比率設定部３０７は、当該伝送容量をユーザに入力させるＧＵＩ（Graphical User Interface）などのインターフェースを具備している。また、分割比率設定部３０７は、当該伝送容量をユーザに入力させる形態ではなく、直接入力された分割比率に基づいて、当該分割比率をパケット分割部３０１及びＰＩＤ付加部３０５ａ，３０５ｂに通知してもよい。
【００８０】
特殊同期パケット挿入部３１３は、“分割ＭＰＥＧ−２ ＴＳ”に含まれるＰＩＤ（所定の識別子）、及び“分割ＭＰＥＧ−２ ＴＳ”に含まれるＰＣＲ値に基づいて生成された時刻情報が含まれる特殊同期パケットを生成して“分割ＭＰＥＧ−２ ＴＳ”に挿入するものである。
【００８１】
また、特殊同期パケット挿入部３１３は、分割されたトランスポート・パケットが有効な情報を有さないヌル・パケットを含む場合、ビデオフレーム周期と同様である３３ｍｓ周期（所定の間隔）で、当該ヌル・パケットを特殊同期パケットに置換する。
【００８２】
ＰＣＲ付加部３０９ａ，３０９ｂは、ＳＴＣカウンタ３１１によって生成されたＳＴＣ（System Time Clock、システム基準時刻情報）に基づいて、分割された“分割ＭＰＥＧ−２ ＴＳ”に含まれるＰＣＲパケットにＰＣＲ（Program Clock Reference、プログラム参照時刻情報）値を付加するものである。
【００８３】
具体的には、ＰＣＲ付加部３０９ａ，３０９ｂは、ＳＴＣカウンタ３１１によって生成された、ＭＰＥＧ２ ＴＳ分割装置３００において用いられる時刻情報であるＳＴＣの値を、分割ＭＰＥＧ−２ ＴＳ”に含まれるＰＣＲパケット（図６（ｄ）参照）にＰＣＲ値として付加する。
【００８４】
ＳＴＣカウンタ３１１は、ＭＰＥＧ２ ＴＳ分割装置３００において用いられる時刻情報であるＳＴＣの値を生成するものである。具体的には、ＳＴＣカウンタ３１１は、ＰＬＬ回路などを具備し、ＭＰＥＧ２ ＴＳ分割装置３００において用いられるＳＴＣ、つまり時刻を計時する。
【００８５】
次に図４を参照して、特殊同期パケット挿入部３１３の論理ブロック構成について説明する。同図に示すように、特殊同期パケット挿入部３１３は、１パケットバッファ３１３ａ，３１３ｂと、ＮＵＬＬパケット検出部３１４と、切替部３１５と、特殊同期パケット生成部３１６とを備えている。
【００８６】
１パケットバッファ３１３ａ（３１３ｂ）は、ＰＩＤ付加部３０５ａ（３０５ｂ）から出力された“分割ＭＰＥＧ−２ ＴＳ”を構成するトランスポート・パケットを一時的に格納するバッファである。１パケットバッファ３１３ａ（３１３ｂ）は、１トランスポート・パケット分の容量を有している。
【００８７】
ＮＵＬＬパケット検出部３１４は、１パケットバッファ３１３ａ，３１３ｂに格納されるトランスポート・パケットに含まれるＰＩＤの値を監視するものである。また、ＮＵＬＬパケット検出部３１４は、１パケットバッファ３１３ａ，３１３ｂの両バッファに格納されているトランスポート・パケットに含まれる音声・映像パケットが、有効な情報を有さないヌル（ＮＵＬＬ）・パケットである場合、特殊同期パケット生成部３１６への切替を切替部３１５に指示する。
【００８８】
切替部３１５は、ＮＵＬＬパケット検出部３１４による指示に基づいて、ＰＣＲ付加部３０９ａ，３０９ｂと接続されている１パケットバッファ３１３ａ，３１３ｂを、特殊同期パケット生成部３１６に切り替え、ＰＣＲ付加部３０９ａ，３０９ｂと特殊同期パケット生成部３１６とを接続するものである。
【００８９】
具体的には、切替部３１５は、ビデオフレーム周期と同様である３３ｍｓ周期で、上述した切替を実行する。
【００９０】
特殊同期パケット生成部３１６は、“分割ＭＰＥＧ−２ ＴＳ”に含まれるＰＩＤ、及び“分割ＭＰＥＧ−２ ＴＳ”に含まれるＰＣＲ値に基づいて生成された時刻情報が含まれる特殊同期パケットを生成するものである。
【００９１】
具体的には、特殊同期パケット生成部３１６は、ＳＴＣカウンタ３１１によって生成されたＳＴＣに基づいて、時刻情報が含まれる特殊同期パケットを生成する。
【００９２】
次に、図５を参照して、ＭＰＥＧ２ ＴＳ合成装置４００の論理ブロック構成について説明する。
【００９３】
同図に示すように、ＭＰＥＧ２ ＴＳ合成装置４００は、ＭＰＥＧ２ ＴＳ分離装置２１１から出力された“分割ＭＰＥＧ−２ ＴＳ”をそれぞれ受信する受信回路４００ａと、受信回路４００ｂとを備えている。
【００９４】
また、ＭＰＥＧ２ ＴＳ合成装置４００は、ビデオパケット合成部４１１と、オーディオパケット合成部４１２と、多重化部４１３と、ＳＴＣ平均化部４１４と、ＰＣＲ付加部４１５とを備えている。
【００９５】
なお、受信回路４００ａと、受信回路４００ｂとは同様のブロック構成を有しているため、以下、受信回路４００ａのブロック構成について説明する。
【００９６】
受信回路４００ａは、受信部４０１ａと、可変遅延調整部４０２ａと、ＰＬＬ部４０３ａと、パケット識別部４０５ａと、ビデオバッファ４０６ａと、オーディオバッファ４０７ａと、ＳＴＣカウンタ４０８ａとを備えている。また、パケット識別部４０５ａは、番組番号選択部４０４と接続されている。
【００９７】
番組番号選択部４０４は、ＭＰＥＧ２ ＴＳ分離装置２１１のユーザに、受信部４０１ａによって受信されるＭＰＥＧ−２ ＴＳに含まれるコンテンツ（番組）の番号（番組番号）を選択させるためのＧＵＩを具備している。
【００９８】
また、番組番号選択部４０４は、ユーザによって選択された番組番号に基づいて、当該ＭＰＥＧ−２ ＴＳに含まれるＰＡＴ（Program Association Table）及びＰＭＴ（Program Map Table）、つまり、ＰＳＩ（Program Specific Information、番組特定情報）を参照して、合成の対象となるトランスポート・パケット（対象パケット）をパケット識別部４０５ａに指示する。具体的には、番組番号選択部４０４は、合成対象のトランスポート・パケットのＰＩＤ（Program Identifier）をパケット識別部４０５ａに指示する。
【００９９】
可変遅延調整部４０２ａ（４０２ｂ）は、ＳＴＣカウンタ４０８ａ，４０８ｂによってそれぞれ生成されたＳＴＣの値を近似または一致させるものであり、本実施形態では、第２の遅延調整部を構成する。
【０１００】
具体的には、可変遅延調整部４０２ａは、可変遅延調整部４０２ｂとともに、ＳＴＣカウンタ４０８ａ，４０８ｂによってそれぞれ生成されたＳＴＣの値を一致させる。ここで、ＳＴＣの値を一致させるには、ＳＴＣカウンタ４０８ａによって生成されるＳＴＣの値に、ＳＴＣカウンタ４０８ｂによって生成されるＳＴＣの値を合わせてもよいし、また、その逆でもよい。
【０１０１】
さらに、可変遅延調整部４０２ａ，４０２ｂは、各ＳＴＣの値の中間値を設定するようにしてもよい。また、可変遅延調整部４０２ａ，４０２ｂは、各ＳＴＣの値を完全に一致させなくても構わない。
【０１０２】
ＰＬＬ部４０３ａは、ディジタル／アナログ変換器と、ローパスフィルタと、電圧制御発振器とから構成され、受信部４０１ａが受信した“分割ＭＰＥＧ−２ ＴＳ”に含まれるＰＣＲ（Program Clock Reference、プログラム参照時刻情報：図６（ｄ）参照）値と、ＳＴＣカウンタ４０８ａによって生成されたＳＴＣの値とを比較して、電圧制御発振器の発振周波数を調整するものである。
【０１０３】
パケット識別部４０５ａは、番組番号選択部４０４による指示に基づいて、ＭＰＥＧ−２ ＴＳを構成するトランスポート・パケットの中から合成の対象となる対象パケットを識別するものである。
【０１０４】
具体的には、パケット識別部４０５ａは、番組番号選択部４０４によって指示されたＰＩＤに基づいて、合成対象のトランスポート・パケットを識別する。また、パケット識別部４０５ａは、合成対象のトランスポート・パケットのうち、映像パケット（ビデオ）など（他にＰＣＲパケットなどを含む）をビデオバッファ４０６ａに、音声パケット（オーディオ）など（他にＰＣＲパケットなどを含む）をオーディオバッファ４０７ａにそれぞれ格納する。
【０１０５】
ビデオバッファ４０６ａ及びオーディオバッファ４０７ａは、ＰＩＤごとにトランスポート・パケットを格納することができ、本実施形態では、１６パケット分の容量を備えている。
【０１０６】
ＳＴＣカウンタ４０８ａは、受信部４０１ａによって受信されたＭＰＥＧ−２ ＴＳに含まれている時刻情報であるＰＣＲ値に基づいて、前記音声映像信号合成装置において用いられる時刻情報であるＳＴＣを生成するものであり、本実施形態では、システム基準時刻情報生成部を構成する。
【０１０７】
具体的には、ＳＴＣカウンタ４０８ａは、受信したＭＰＥＧ−２ ＴＳに含まれているＰＣＲ値に基づいて、受信回路４００ａにおいて用いられるＳＴＣ、つまり時刻を計時する。また、ＳＴＣカウンタ４０８ａによって計時されたＳＴＣの値は、ＳＴＣ平均化部４１４に通知される。
【０１０８】
次に、受信回路４００ａ及び受信回路４００ｂによって受信されたＭＰＥＧ−２ ＴＳを合成するブロックの機能について説明する。
【０１０９】
ビデオパケット合成部４１１は、ビデオバッファ４０６ａ，４０６ｂから出力された映像パケットなどを合成し、ＭＰＥＧ２符号化器１１によって生成されたＭＰＥＧ−２ ＴＳに含まれる映像パケットなどを出力するものであり、本実施形態では、合成部を構成する。
【０１１０】
また、ビデオパケット合成部４１１は、合成対象のトランスポート・パケットの伝送順序を示す巡回カウンタ（Continuity Counter）の値に基づいて、当該トランスポート・パケットに含まれる映像パケットなどを多重化部４１３に送出する順序を調整するものであり、本実施形態では、第１の遅延調整部を構成する。
【０１１１】
具体的には、ビデオパケット合成部４１１は、合成の対象となるトランスポート・パケットに含まれている、４ビットで表現される巡回カウンタ（図６（ｂ）参照）の値に基づいて、トランスポート・パケットに含まれる映像パケットなどを合成する順序を調整する。
【０１１２】
すなわち、ビデオパケット合成部４１１は、受信回路４００ａ及び受信回路４００ｂによって受信されたそれぞれのＭＰＥＧ−２ ＴＳに含まれる合成対象のトランスポート・パケットに含まれる映像パケットなどを合成する順序を、巡回カウンタの値に基づいて決定する。
【０１１３】
また、ビデオパケット合成部４１１は、“分割ＭＰＥＧ−２ ＴＳ”に含まれる特殊同期パケットに基づいて、複数の“分割ＭＰＥＧ−２ ＴＳ”間の伝搬遅延差を検出し、検出した伝搬遅延差に応じて、合成の対象となるトランスポート・パケットに含まれる映像パケットなどを合成するタイミングである合成タイミングを調整することができる。
【０１１４】
また、ビデオパケット合成部４１１（及びオーディオパケット合成部４１２）は、“分割ＭＰＥＧ−２ ＴＳ”のそれぞれに含まれる分割情報に基づいて、複数の“分割ＭＰＥＧ−２ ＴＳ”を正しい順序で合成して、ＭＰＥＧ２符号化器１１によって生成されたＭＰＥＧ−２ ＴＳを出力することができる。
【０１１５】
さらに、ビデオパケット合成部４１１（及びオーディオパケット合成部４１２）は、分割情報、及び“分割ＭＰＥＧ−２ ＴＳ”のそれぞれに含まれる巡回カウンタ値（第２の巡回カウンタ値）に基づいて、複数の“分割ＭＰＥＧ−２ ＴＳ”を合成してＭＰＥＧ２符号化器１１によって生成されたＭＰＥＧ−２ ＴＳを出力することができる。
【０１１６】
オーディオパケット合成部４１２は、合成対象のトランスポート・パケットに含まれる音声パケットなどについて、ビデオパケット合成部４１１と同期しつつ、ビデオパケット合成部４１１と同様の処理を実行するものである。
【０１１７】
なお、ビデオパケット合成部４１１及びオーディオパケット合成部４１２によるトランスポート・パケットの合成方法については、さらに後述する。
【０１１８】
多重化部４１３は、ビデオパケット合成部４１１及びオーディオパケット合成部４１２から出力された合成済みの映像パケットと音声パケットとを多重してひとつのＭＰＥＧ−２ ＴＳに変換するものである。
【０１１９】
ＳＴＣ平均化部４１４は、ＳＴＣカウンタ４０８ａ，４０８ｂによって生成された複数のＳＴＣ（システム基準時刻情報）の中間値を演算するものであり、本実施形態では、システム基準時刻調整部を構成する。
【０１２０】
具体的には、ＳＴＣ平均化部４１４は、ＳＴＣカウンタ４０８ａ，４０８ｂによってそれぞれ生成されたＳＴＣの値の平均値を演算する。すなわち、ＳＴＣ平均化部４１４は、ＳＴＣカウンタ４０８ａによって生成されたＳＴＣの値と、ＳＴＣカウンタ４０８ｂによって生成されたＳＴＣの値との合計値を“２”で除算することによって、当該平均値を演算する。
【０１２１】
なお、ＳＴＣ平均化部４１４は、単純な平均値ではなく、ＳＴＣカウンタ４０８ａによって生成されるＳＴＣの値と、ＳＴＣカウンタ４０８ｂによって生成されるＳＴＣの値との中間値を決定してもよい。
【０１２２】
ＰＣＲ付加部４１５は、ＳＴＣ平均化部４１４によって演算された平均値（中間値）に基づいて、多重化部４１３から出力されたＭＰＥＧ−２ ＴＳ、つまり、合成されたＭＰＥＧ−２ ＴＳにＰＣＲ（プログラム参照時刻情報）を付加するものであり、本実施形態では、プログラム参照時刻付加部を構成する。
【０１２３】
具体的には、ＰＣＲ付加部４１５は、図６（ｄ）に示すように、オプショナル・フィールド内に設けられたＰＣＲ領域（例えば、４２ビット分）を用いて、ＳＴＣ平均化部４１４によって演算されたＳＴＣの平均値をＰＣＲとして付加する。
【０１２４】
（音声映像信号バルク伝送システムの動作）
次に、図７〜図１０を参照して、本実施形態に係るバルク伝送システムを構成するＭＰＥＧ２ ＴＳ分割装置３００とＭＰＥＧ２ ＴＳ合成装置４００の動作について説明する。
【０１２５】
まず、図７を参照して、ＭＰＥＧ２ ＴＳ分割装置３００が、受信したＭＰＥＧ−２ ＴＳを分割する動作について説明する。
【０１２６】
同図（ａ）は、ＭＰＥＧ２符号化器１１によって出力されたＭＰＥＧ−２ ＴＳのトランスポート・パケットを示している。
【０１２７】
また、同図（ｂ）は、パケット分割部３０１によって分割され、ＰＣＲ付加部３０９ａから出力された“分割ＭＰＥＧ−２ ＴＳ”のトランスポート・パケットを示している。さらに、同図（ｃ）は、パケット分割部３０１によって分割され、ＰＣＲ付加部３０９ｂから出力された“分割ＭＰＥＧ−２ ＴＳ”のトランスポート・パケットを示している。
【０１２８】
同図（ｂ）及び（ｃ）は、パケット分割部３０１において、ＭＰＥＧ２符号化器１１によって出力されたＭＰＥＧ−２ ＴＳのトランスポート・パケットが２：１の分割比率によって分割された状態を示している。
【０１２９】
すなわち、同図（ｂ）に示すように、ＰＣＲ付加部３０９ａからは、ＭＰＥＧ２符号化器１１によって出力されたＭＰＥＧ−２ ＴＳのトランスポート・パケットのうち、「１，２，４，５，７，８，１０……」のように、分割されたトランスポート・パケットが出力される。
【０１３０】
一方、同図（ｃ）に示すように、ＰＣＲ付加部３０９ｂからは、ＭＰＥＧ２符号化器１１によって出力されたＭＰＥＧ−２ ＴＳのトランスポート・パケットのうち、「３，６，９……」のように、分割されたトランスポート・パケットが出力される。
【０１３１】
また、同図（ｄ）は、ＰＣＲ付加部３０９ａから出力されるトランスポート・パケットのＰＩＤの値（分割情報）を示している。同図（ｄ）に示すように、１３ビットによって構成されるＰＩＤのうち、下位側４ビットを用いて分割比率が表示される。ここで、“００１０”は、分割するＭＰＥＧ−２ ＴＳ、つまり、ＭＰＥＧ２符号化器１１によって出力されたＭＰＥＧ−２ ＴＳのトランスポート・パケットが、２つずつ連続して伝送されることを示している。
【０１３２】
なお、例えば、ＭＰＥＧ２符号化器１１によって出力されたＭＰＥＧ−２ ＴＳのトランスポート・パケットが、３つずつ連続して伝送される場合には、かかる値として、“００１１”が用いられる。
【０１３３】
さらに、同図（ｄ）に示すように、上述した下位側４ビットに隣接した上位側４ビットを用いて、トランスポート・パケットの伝送順序が表示される。ここで、“０００１”は、複数に分割されて伝送される“分割ＭＰＥＧ−２ ＴＳ”のうち、最初、つまり、ＰＣＲ付加部３０９ａから順次出力されるトランスポート・パケットであることを示している。
【０１３４】
また、同図（ｅ）は、ＰＣＲ付加部３０９ｂから出力されるトランスポート・パケットのＰＩＤの値（分割情報）を示している。同図（ｅ）では、同図（ｄ）と同様に、下位側４ビットを用いて分割比率が表示される。ここで、“０００１”は、分割するＭＰＥＧ−２ ＴＳ、つまり、ＭＰＥＧ２符号化器１１によって出力されたＭＰＥＧ−２ ＴＳのトランスポート・パケットが、１つずつ伝送されることを示している。
【０１３５】
さらに、同図（ｅ）に示すように、上述した下位側４ビットに隣接した上位側４ビットを用いて、トランスポート・パケットの伝送順序が表示される。ここで、“００１０”は、複数に分割されて伝送される“分割ＭＰＥＧ−２ ＴＳ”のうち、２番目、つまり、ＰＣＲ付加部３０９ｂから順次出力されるトランスポート・パケットであることを示している。
【０１３６】
すなわち、ＭＰＥＧ２ ＴＳ分割装置３００は、図６（ｄ）及び（ｅ）に示すように、ＰＣＲ付加部３０９ａから出力されるトランスポート・パケットに含まれるＰＩＤの値として、“Ｘ ＸＸＸＸ ０００１ ００１０”（Ｘは、任意の数値）を付加し、ＭＰＥＧ２ ＴＳ合成装置４００に分割比率を通知する。また、ＭＰＥＧ２ ＴＳ分割装置３００は、ＰＣＲ付加部３０９ｂから出力されるトランスポート・パケットに含まれるＰＩＤの値として、“Ｘ ＸＸＸＸ ００１０ ０００１”（Ｘは、任意の数値）を付加し、ＭＰＥＧ２ ＴＳ合成装置４００に分割比率を通知する。
【０１３７】
次に、図８を参照して、ＭＰＥＧ２ ＴＳ合成装置４００が、受信したＭＰＥＧ−２ ＴＳ間の伝搬遅延差を調整する動作について説明する。
【０１３８】
ここで、同図（ａ１）は、受信回路４００ａに入力されるＭＰＥＧ−２ ＴＳ、つまり、ＯＦＤＭ送信機２１及びＯＦＤＭ受信機３１よって伝送されたＭＰＥＧ−２ ＴＳ（以下、ＭＰＥＧ−２ ＴＳａという）を示している。一方、同図（ｂ１）は、受信回路４００ｂに入力されるＭＰＥＧ−２ ＴＳ、つまり、ＯＦＤＭ送信機２２及びＯＦＤＭ受信機３２によって伝送されたＭＰＥＧ−２ ＴＳ（以下、ＭＰＥＧ−２ ＴＳｂという）を示している。
【０１３９】
ここで、同図（ａ１）及び（ｂ１）に示すように、ＭＰＥＧ−２ ＴＳｂは、ＭＰＥＧ−２ ＴＳａよりも遅れて（図中の矢印）受信回路４００ｂに入力されるものとする。
【０１４０】
そこで、ＭＰＥＧ２ ＴＳ合成装置４００（ビデオパケット合成部４１１，オーディオパケット合成部４１２）は、ＭＰＥＧ−２ ＴＳａ及びＭＰＥＧ−２ ＴＳｂに含まれている巡回カウンタ・フィールド（不図示）の値に基づいて、ＭＰＥＧ−２ ＴＳａとＭＰＥＧ−２ ＴＳｂとに含まれるパケットを合成する順序、及び合成タイミングを調整する。
【０１４１】
具体的には、ビデオパケット合成部４１１（オーディオパケット合成部４１２）は、巡回カウンタ（Continuity Counter）・フィールドの値に基づいて、ＭＰＥＧ−２ ＴＳａ及びＭＰＥＧ−２ ＴＳｂの各パケット（図中の各四角形部分）を合成する順序またはタイミングを調整する。
【０１４２】
また、ＭＰＥＧ２ ＴＳ合成装置４００（可変遅延調整部４０２ａ，４０２ｂ）は、受信回路４００ａ及び受信回路４００ｂにおいて、ＭＰＥＧ−２ ＴＳａ及びＭＰＥＧ−２ ＴＳｂに基づいてそれぞれ生成されるＳＴＣの値を一致させることによって、ＭＰＥＧ−２ ＴＳａとＭＰＥＧ−２ ＴＳｂとの伝搬遅延差を調整する。
【０１４３】
すなわち、ＭＰＥＧ−２ ＴＳａ及びＭＰＥＧ−２ ＴＳｂの巡回カウンタとしては、４ビットが割り当てられており、同一のＰＩＤを有するトランスポート・パケットを受信するごとに巡回カウンタの値がインクリメント（増加）され、値が“１５”（２4−１）になると、次は“０”に戻るため、伝送順序を認識可能なトランスポート・パケットの範囲は、前後７パケット以内（図中の矢印）に制限される。このため、ＭＰＥＧ−２ ＴＳａとＭＰＥＧ−２ ＴＳｂとの伝搬遅延差が１５パケット分に相当する時間以上である場合、ＭＰＥＧ２ ＴＳ合成装置４００は、ＭＰＥＧ−２ ＴＳａとＭＰＥＧ−２ ＴＳｂとを正常に合成することができない可能性がある。そこで、上述したように、可変遅延調整部４０２ａ，４０２ｂは、ＭＰＥＧ−２ ＴＳａ及びＭＰＥＧ−２ ＴＳｂに基づいてそれぞれ生成されるＳＴＣの値を一致させることによって、ＭＰＥＧ−２ ＴＳａとＭＰＥＧ−２ ＴＳｂとの伝搬遅延差をさらに調整、つまり低減することができる。
【０１４４】
図８（ａ２）及び（ｂ２）は、巡回カウンタの値、及びＳＴＣの値を一致させることによって、ＭＰＥＧ−２ ＴＳａとＭＰＥＧ−２ ＴＳｂとの合成順序及び合成タイミングが、ＰＣＲパケットベース、つまり時刻情報に基づいて調整された状態を示している（同図（ａ２）及び（ｂ２）に示すように、ＰＣＲパケット“ＰＣＲ２”に続く一連のパケットに引き続いて、ＰＣＲパケット“ＰＣＲ３”が位置している）。
【０１４５】
また、ＭＰＥＧ２ ＴＳ多重装置１００などではＰＣＲ値が付替えられるが、当該付替処理に伴って、ＭＰＥＧ２ ＴＳ多重装置１００などから出力されるＰＣＲパケットの伝送順序が、当該付替処理前と比較して、音声・映像パケット（ＡＶパケット）などよりも相対的に遅れる場合がある。
【０１４６】
すなわち、図８（ｂ１）及び（ｂ２）に示すように、ＭＰＥＧ−２ ＴＳｂのＰＣＲパケット（ＰＣＲ３）は、ＭＰＥＧ−２ ＴＳａと比較すると、ＡＶパケット（ＡＶ３）よりも相対的に遅れている。
【０１４７】
かかる場合、ビデオパケット合成部４１１（オーディオパケット合成部４１２）が、ＰＣＲパケットベース、つまり時刻情報に基づいてＭＰＥＧ−２ ＴＳａとＭＰＥＧ−２ ＴＳｂとの各パケットを合成する順序及び合成タイミングを調整しても、正常に合成することができないため問題となる。
【０１４８】
そこで、図８（ａ３）及び（ｂ３）に示すように、ビデオパケット合成部４１１（オーディオパケット合成部４１２）は、ＭＰＥＧ−２ ＴＳａ及びＭＰＥＧ−２ ＴＳｂに含まれる特殊同期パケット（ＳＰ１〜４）に基づいて、ＭＰＥＧ−２ ＴＳａ及びＭＰＥＧ−２ ＴＳｂに含まれる各パケットの合成順序及び合成タイミングを調整することができる。
【０１４９】
すなわち、ビデオパケット合成部４１１（オーディオパケット合成部４１２）は、特殊同期パケットと、ＡＶパケット（ＡＶ１〜４）との時間的な距離（時間差）を認識することによって、ＭＰＥＧ−２ ＴＳａとＭＰＥＧ−２ ＴＳｂとの各パケットを合成する順序及び合成タイミングを調整する。
【０１５０】
図８（ａ３）及び（ｂ３）では、特殊同期パケット（ＳＰ１〜４）と、ＡＶパケット（ＡＶ１〜４）とに基づいて、ＭＰＥＧ−２ ＴＳａ及びＭＰＥＧ−２ ＴＳｂに含まれる各パケットを合成する順序及び合成タイミングが調整されている（ＡＶ１〜ＡＶ２〜ＡＶ３の時間的距離（時間差）がほぼ一定となっている）。
【０１５１】
なお、ＭＰＥＧ２ ＴＳ合成装置４００（ビデオパケット合成部４１１，オーディオパケット合成部４１２）は、より確実に音声・映像パケットと、ＰＣＲパケットに含まれるＰＣＲとの時間的な距離（時間差）を認識するため、トランスポート・パケットに含まれるＰＩＤ値、トランスポート・パケットのスクランブルモードを示すスクランブル制御（Transport Scrambling Control）値、またはアダプテーション・フィールド制御（Adaptation Field Control）値が、合成される他のＭＰＥＧ−２ ＴＳのトランスポート・パケットと一致していることを合わせて判定してもよい。
【０１５２】
また、ＭＰＥＧ−２ ＴＳ多重（分離）装置（例えば、ＭＰＥＧ２ ＴＳ多重装置１００）などでは、出力されるＭＰＥＧ−２ ＴＳに含まれるＰＣＲ値が付替えられるが、当該付替処理に伴って、音声・映像パケットとＰＣＲパケットに含まれるＰＣＲとの時間的な距離（時間差）が変化する場合がある。
【０１５３】
図９は、このような、ＰＣＲ値の付替処理に伴う音声・映像パケットとＰＣＲパケット（に含まれるＰＣＲ）との位置関係の変化を説明するための説明図である。
【０１５４】
図９（ａ）は、ＭＰＥＧ−２ ＴＳ多重（分離）装置（例えば、ＭＰＥＧ２ ＴＳ多重装置１００）に入力されたＭＰＥＧ−２ ＴＳに含まれるＰＣＲ値から生成したＳＴＣカウンタ値を示している。
【０１５５】
また、同図（ｄ）は、ＭＰＥＧ−２ ＴＳ多重（分離）装置（例えば、ＭＰＥＧ２ ＴＳ多重装置１００）から出力されたＭＰＥＧ−２ ＴＳに含まれるＰＣＲ値から生成したＳＴＣカウンタ値（例えば、ＭＰＥＧ２ ＴＳ多重装置１００から出力されたＭＰＥＧ−２ ＴＳを受信して復号するＭＰＥＧ２復号器６３において生成されるＳＴＣカウンタ値）を示している。
【０１５６】
同図（ａ）及び（ｄ）に示すＳＴＣカウンタ値は、同一のＰＣＲ値に基づいて生成されるため、同一の時刻情報（タイミング）を有している。
【０１５７】
同図（ｂ）は、当該ＭＰＥＧ−２ ＴＳ多重（分離）装置に入力されたＭＰＥＧ−２ ＴＳのトランスポート・パケットを構成する各パケットを示している。同図（ｂ）において、各パケット内の下段に示された数字（１，１０，１５など）は、当該パケットに含まれるタイムスタンプの値を示している。
【０１５８】
なお、ＰＣＲパケットに含まれるタイムスタンプ（図中の“ＰＣＲ １”、“ＰＣＲ １１”）に示されている時刻と、同図（ａ）に示したＳＴＣカウンタ値による時刻とは一致しているものとする（図中の矢印付き一点破線を参照）。
【０１５９】
同図（ｂ）に示したＭＰＥＧ−２ ＴＳの映像パケット“Ｖ １０”は、同図（ａ）に示したＳＴＣカウンタの値が“３”の時点において、ＭＰＥＧ−２ ＴＳ多重（分離）装置に入力されている。つまり、当該映像パケットの受信時刻（“３”）と、再生（または復号）時刻（“１０”）とは、“７”カウント分の“処理待ち時間”となる（図中の矢印付き実線を参照）。
【０１６０】
さらに、図６（ｃ）は、当該ＭＰＥＧ−２ ＴＳ多重（分離）装置から出力されたＭＰＥＧ−２ ＴＳのトランスポート・パケットを構成する各パケットを示している。同図（ｃ）において、各パケット内の下段に示された数字（３，１０，１５など）は、当該パケットに含まれたタイムスタンプの値を示している。
【０１６１】
同図（ｃ）に示すＭＰＥＧ−２ ＴＳのトランスポート・パケットが、当該ＭＰＥＧ−２ ＴＳ多重（分離）装置から出力されるタイミングは、当該ＭＰＥＧ−２ ＴＳ多重（分離）装置による多重（分離）処理に伴い、同図（ｂ）に示した当該ＭＰＥＧ−２ ＴＳ多重（分離）装置に入力されるＭＰＥＧ−２ ＴＳのトランスポート・パケットよりも、２パケット分遅れている。
【０１６２】
したがって、当該ＭＰＥＧ−２ ＴＳ多重（分離）装置によるＰＣＲ値の付替処理に伴い、同図（ｂ）の“ＰＣＲ １”は、タイムスタンプの内容が変更（“１”→“３”）され、同図（ｃ）に示すように、“ＰＣＲ ３”に変更される。
【０１６３】
ここで、一般的なＭＰＥＧ−２ ＴＳ多重（分離）装置などでは、当該ＭＰＥＧ−２ ＴＳ多重（分離）装置自体における処理遅延は考慮されずに、ＰＣＲ値の付替処理が実行される。
【０１６４】
このため、同図（ｃ）に示したＭＰＥＧ−２ ＴＳの映像パケット“Ｖ １０”は、同図（ａ）に示したＳＴＣカウンタの値が“５”の時点において、ＭＰＥＧ−２ ＴＳ多重（分離）装置から出力される。
【０１６５】
したがって、当該ＭＰＥＧ−２ ＴＳを受信して復号するＭＰＥＧ２復号器（例えば、ＭＰＥＧ２復号器６３）では、当該映像パケットの受信時刻（“５”）と、再生（または復号）時刻（“１０”）とは、“５”カウント分の“処理待ち時間”となる（図中の矢印付き実線を参照）。
【０１６６】
つまり、当該ＭＰＥＧ−２ ＴＳ多重（分離）装置への入力時点では、“処理待ち時間”は“７”カウント分であったが、当該ＭＰＥＧ−２ ＴＳ多重（分離）装置の処理遅延によって、“処理待ち時間”（時間的な距離）は、“５”カウント分に減少する。
【０１６７】
すなわち、ＭＰＥＧ−２ ＴＳが、このようなＭＰＥＧ−２ ＴＳ多重（分離）装置を経由すると、ＭＰＥＧ−２ ＴＳａ及びＭＰＥＧ−２ ＴＳｂにそれぞれ含まれるＰＣＲ値に基づいてＳＴＣカウンタ値を一致させても、音声・映像パケットの位置が“２”カウント分のずれを生じることとなる。
【０１６８】
本実施形態に係るＭＰＥＧ２ ＴＳ合成装置４００は、上述したように、特殊同期パケットに基づいて、ＭＰＥＧ−２ ＴＳａとＭＰＥＧ−２ ＴＳｂとの各パケットを合成する順序及び合成タイミングを調整することができるため、図９（ａ）〜（ｄ）に示したような場合においても、各パケットを合成する順序及び合成タイミングを調整することができる。
【０１６９】
次に、図１０を参照して、ＭＰＥＧ２ ＴＳ合成装置４００が、合成したＭＰＥＧ−２ ＴＳに付加されるＰＣＲの値を調整する動作について説明する。
【０１７０】
ここで、同図（ａ）は、ＯＦＤＭ送信機２１及びＯＦＤＭ受信機３１よって伝送されたＭＰＥＧ−２ ＴＳａを示している。一方、同図（ｂ）は、ＯＦＤＭ送信機２２及びＯＦＤＭ受信機３２によって伝送されたＭＰＥＧ−２ ＴＳｂを示している。
【０１７１】
同図（ｃ）は、同図（ａ）に示したＭＰＥＧ−２ ＴＳａ、及び同図（ｂ）に示したＭＰＥＧ−２ ＴＳｂに含まれる各パケットの時間的な位置関係を表したものである。同図（ｃ）において、ｔａは、時刻を示しており、ｔｒは、前パケットとの時間的な距離（時間差）を示している。
【０１７２】
また、Ｐａは、同図（ａ）に示したＭＰＥＧ−２ ＴＳａに含まれる各パケットの時間的位置を示しており、Ｐｂは、同図（ｂ）に示したＭＰＥＧ−２ ＴＳｂに含まれる各パケットの時間的位置を示している。
【０１７３】
ＭＰＥＧ２ ＴＳ合成装置４００は、ＭＰＥＧ−２ ＴＳａに含まれるＰＣＲ値と、ＭＰＥＧ−２ ＴＳｂに含まれるＰＣＲ値によってそれぞれ生成されるＳＴＣの値を平均し、当該平均値を合成後のＭＰＥＧ−２ ＴＳのＰＣＲ値として、ＰＣＲパケットに格納する。
【０１７４】
すなわち、図１０（ｃ）に示すＰａとＰｂとの中間に位置するＰａｖ上に位置するような時刻情報が合成後のＭＰＥＧ−２ ＴＳのＰＣＲ値として付加される。なお、付加されるＰＣＲ値は、ＰａとＰｂとの中間に位置する値であれば、Ｐａｖ上に位置しないものであってもよい。
【０１７５】
以上、本発明の一実施形態について、ＭＰＥＧ−２を例として説明したが、本発明の適用範囲は、ＭＰＥＧ−２に限定されるものと解すべきではない。すなわち、本発明は、音声映像信号に含まれる時刻情報であるプログラム参照時刻情報、及び多重装置において用いられる時刻情報であるシステム基準時刻情報に基づいて動作する音声映像信号合成装置に適用することができる。
【０１７６】
（作用・効果）
以上説明した本実施形態に係る音声映像信号バルク伝送システムによれば、ビデオパケット合成部４１１及びオーディオパケット合成部４１２が、ＭＰＥＧ−２ ＴＳに含まれる巡回カウンタの値に基づいて、分離及び合成の対象となるトランスポート・パケットを送出する順序を調整するため、移動中継車と基地局との間に多重（分離）装置などが介在することによって、分離及び合成の対象となるトランスポート・パケットの伝送順序が変更されている場合でも、合成時に正しい順序に調整することができる。
【０１７７】
本実施形態に係る音声映像信号バルク伝送システムによれば、ＰＣＲ付加部４１５が、ＳＴＣの中間値に基づいて、合成された“出力ＭＰＥＧ−２ ＴＳ”にＰＣＲ値を付加するため、“出力ＭＰＥＧ−２ ＴＳ”のジッタ成分、すなわち、“出力ＭＰＥＧ−２ ＴＳ”の出力タイミングが大きく変動することを抑制することができる。
【０１７８】
本実施形態に係る音声映像信号バルク伝送システムによれば、可変遅延調整部４０２ａ，４０２ｂが、ＳＴＣの値を近似または一致させるため、合成されるＭＰＥＧ−２ ＴＳ間の伝搬遅延差を減少させることができる。
【０１７９】
当該複数ＳＴＣの値を近似または一致させることによって、一般的には、合成されるＭＰＥＧ−２ ＴＳ間の伝搬遅延差を１５パケット分に相当する時間以内に収斂させることができるため、ＭＰＥＧ２ ＴＳ合成装置４００は、ビデオパケット合成部４１１及びオーディオパケット合成部４１２による動作と合わせて、ＭＰＥＧ−２ ＴＳ間の伝搬遅延差が大きい場合でも正常にＭＰＥＧ−２ ＴＳを合成することができる。
【０１８０】
本実施形態に係る音声映像信号バルク伝送システムによれば、ビデオパケット合成部４１１及びオーディオパケット合成部４１２が、、音声・映像パケットとＰＣＲパケットに含まれるＰＣＲとの時間的な距離（時間差）を認識するため、ＰＣＲの付替処理などに伴ってＰＣＲパケットの伝送順序が音声・映像パケットよりも相対的に遅れる場合や、音声・映像パケットなどのＰＣＲパケットに対する位置が変化する場合でも、正常にＭＰＥＧ−２ ＴＳを合成することができる。
【０１８１】
本実施形態に係る音声映像信号バルク伝送システムによれば、ＭＰＥＧ２ ＴＳ合成装置４００が、ＭＰＥＧ２ ＴＳ分割装置３００によって付加された分割比率を示す分割情報に基づいて、分割されたＭＰＥＧ−２ ＴＳを合成するため、伝送容量の異なる複数の無線回線を用いて、分割されたＭＰＥＧ−２ ＴＳ（分割音声映像信号）伝送しなければならない場合、つまり、分割比率が異なる場合でも、分割されたＭＰＥＧ−２ ＴＳを正常に合成することができる。
【０１８２】
本実施形態に係る音声映像信号バルク伝送システムによれば、ＭＰＥＧ２ ＴＳ合成装置４００が、分割情報、及び“分割ＭＰＥＧ−２ ＴＳ”を構成するパケットの伝送順序を示す巡回カウンタ値（第２の巡回カウンタ値）に基づいて、分割されたＭＰＥＧ−２ ＴＳを合成するため、ＭＰＥＧ２ ＴＳ多重装置１００などによって、当該パケットの伝送順序が入れ替わった（逆転）した場合でも、複数の“分割ＭＰＥＧ−２ ＴＳ”を正常に合成することができる。
【図面の簡単な説明】
【０１８３】
【図１】本発明の実施形態に係る野外番組の中継システムの構成例を示す図である。
【図２】本発明の実施形態に係る野外番組の中継システムの概略ブロック構成を示す図である。
【図３】本発明の実施形態に係る音声映像信号分割装置の論理ブロック構成を示す図である。
【図４】本発明の実施形態に係る音声映像信号分割装置の特殊同期パケット挿入部の論理ブロック構成を示す図である。
【図５】本発明の実施形態に係る音声映像信号合成装置の論理ブロック構成を示す図である。
【図６】本発明の実施形態に係る音声映像信号バルク伝送システムにおいて用いられる音声映像信号の構造を示す図である。
【図７】本発明の実施形態に係る音声映像信号分割装置による音声映像信号の分割の動作を説明するための説明図である。
【図８】本発明の実施形態に係る音声映像信号合成装置による伝搬遅延差の調整の動作を説明するための説明図である。
【図９】本発明の実施形態に係る音声映像信号合成装置による伝搬遅延差の調整の動作を説明するための説明図である。
【図１０】本発明の実施形態に係る音声映像信号合成装置によるプログラム参照時刻情報の付替動作を説明するための説明図である。
【符号の説明】
【０１８４】
１００…ＭＰＥＧ２ ＴＳ多重装置、１１…ＭＰＥＧ２符号化器、２１，２２…ＯＦＤＭ送信機、３１，３２，３３…ＯＦＤＭ受信機、４１…ＦＭ送信機、５１…ＦＭ受信機、６３，６４…ＭＰＥＧ２復号器、２１１…ＭＰＥＧ２ ＴＳ分離装置、３００…ＭＰＥＧ２ ＴＳ分割装置、３０１…パケット分割部、３０３ａ，３０３ｂ…巡回カウンタ値付加部、３０５ａ，３０５ｂ…ＰＩＤ付加部、３０７…分割比率設定部、３０９ａ，３０９ｂ…ＰＣＲ付加部、３１１…ＳＴＣカウンタ、３１３…特殊同期パケット挿入部、３１３ａ，３１３ｂ…１パケットバッファ、３１４…ＮＵＬＬパケット検出部、３１５…切替部、３１６…特殊同期パケット生成部、４００…ＭＰＥＧ２ ＴＳ合成装置、４００ａ，４００ｂ…受信回路、４０１ａ，４０１ｂ…受信部、４０２ａ，４０２ｂ…可変遅延調整部、４０３ａ，４０３ｂ…ＰＬＬ部、４０４…番組番号選択部、４０５ａ，４０５ｂ…パケット識別部、４０６ａ，４０６ｂ…ビデオバッファ、４０７ａ，４０７ｂ…オーディオバッファ、４０８ａ，４０８ｂ…ＳＴＣカウンタ、４１１…ビデオパケット合成部、４１２…オーディオパケット合成部、４１３…多重化部、４１４…ＳＴＣ平均化部、４１５…ＰＣＲ付加部、ＢＳ１…センター基地局、ＢＳ２，ＢＳ３…基地局、Ｃ１，Ｃ２…移動中継車ＣＵ…コース、ＣＶ１，ＣＶ２，ＣＶ３ａ，ＣＶ３ｂ…カバレッジ、ＲＬ１，ＲＬ２，ＲＬ１１，ＲＬ１２，ＲＬ１２ａ，ＲＬ１２ｂ，ＲＬ２１，ＲＬ２２…無線回線、ＳＤ…スタジアム、ＳＴ…放送局、ＴＷ…送信タワー
【図１】
2005217654.tif 000003
【図２】
2005217654.tif 000004
【図３】
2005217654.tif 000005
【図４】
2005217654.tif 000006
【図５】
2005217654.tif 000007
【図６】
2005217654.tif 000008
【図７】
2005217654.tif 000009
【図８】
2005217654.tif 000010
【図９】
2005217654.tif 000011
【図１０】
2005217654.tif 000012